(57)【要約】【課題】和服を着て水仕事をしたり食事をする時などに和服の袖や胸元が濡れたり汚れたりするのを防ぐことができ、着用に際して袖への腕の挿入が容易で着用し易く、構造が簡単にして製作容易で長く使用できる衣服カバーを提供する。【解決手段】胸当て部１とこれの両端部に連設された一対の袖部２，２とからなるカバー本体３、及び両端部をカバー本体３の胸当て部１に取り付け、首に掛けることによって胸当て部１を吊持する伸縮性の紐体４からなるもので、各袖部２は袖口５を伸縮自在に絞っている。【選択図】図３
2005290642.tif 000002
【特許請求の範囲】
【請求項１】
胸当て部とこれの両端部に連設された一対の袖部とからなるカバー本体、及び両端部をカバー本体の胸当て部に取り付け、首に掛けることによって胸当て部を吊持する伸縮性の紐体からなり、各袖部は袖口を伸縮自在に絞ってなる衣服カバー。
【請求項２】
紐体は、胸当て部裏面の上辺側両端部に設けた紐通しに通して、この紐体の両端部を、胸当て部の裏面側からこの胸当て部の下辺側両端部に取り付けてなる請求項１に記載の衣服カバー。
【請求項３】
カバー本体の胸当て部には裏面の上部側中央にダーツを設けてなる請求項１又は２に記載の衣服カバー。
【請求項４】
各袖部は腕挿入口の周縁の一部を伸縮自在に絞ってなる請求項１〜３の何れかに記載の衣服カバー。
【請求項５】
紐体の両端部には夫々クリップを取り付けてなる請求項１〜４の何れかに記載の衣服カバー。
【発明の詳細な説明】
【技術分野】
【０００１】
本発明は、和服を着て水仕事をしたり食事をする時などに袖や胸元が濡れたり汚れたりしないように保護する和服カバー、あるいは幼児が食事の時に衣服が汚れるのを防ぐためのカバー、更には幼児のヨダレを受けるヨダレ掛けとしても使用できる衣服カバーに関する。
【背景技術】
【０００２】
和服を着て水仕事をする時などに袖口が汚れたり濡れるの防ぐ従来の衣服カバーには、例えば特許文献１に記載されたものがある。これは、袖口にゴム紐を内装した腕カバーのような左右一対の袖と、両袖の夫々袖口と反対側の端部に取り付けた伸縮性の紐と、からなるもので、着用する時は、左右の袖に夫々腕を通し、伸縮性の紐を首の後ろにまわして掛けるようになっている。
【特許文献１】実開平６−５１２１９号公報
【発明の開示】
【発明が解決しようとする課題】
【０００３】
特許文献１に記載された従来の衣服カバーでは、左右一対の袖を伸縮性の紐でつないだだけの構造であるから、和服を着て水仕事をしたり食事をする時などに和服の胸元が濡れたり汚れるのを防ぐことができず、また袖が布地で形成される場合、袖の腕通し口が常に半ば塞がった状態となるために腕通し口に腕を通しにくく、更に各袖が紐に対し回転するため紐が捩じれ易く、破損し易いと云った問題がある。
【０００４】
本発明は、上記の問題点に鑑み、和服を着て水仕事をしたり食事をする時などに和服の袖及び胸元が濡れたり汚れたりするのを防ぐことができ、また着用に際して袖への腕の挿入が容易で着用し易く、しかも構造が簡単にして製作容易で長く使用できる衣服カバーを提供することを目的とする。
【課題を解決するための手段】
【０００５】
上記課題を解決するための手段を、後述する実施形態の参照符号を付して説明すると、請求項１に係る発明は、胸当て部１とこれの両端部に連設された一対の袖部２，２とからなるカバー本体３、及び両端部をカバー本体３の胸当て部１に取り付け、首に掛けることによって胸当て部１を吊持する伸縮性の紐体４からなり、各袖部２は袖口５を伸縮自在に絞ってなることを特徴とする。
【０００６】
請求項２は、請求項１に記載の衣服カバーにおいて、紐体４は、胸当て部１裏面の上辺側両端部に設けた紐通し９に通して、この紐体４の両端部を、胸当て部１の裏面側からこの胸当て部１の下辺側両端部に取り付けてなることを特徴とする。
【０００７】
請求項３は、請求項１又は２に記載の衣服カバーにおいて、カバー本体３の胸当て部１には裏面の上部側中央にダーツ７を設けてなることを特徴とする。
【０００８】
請求項４は、請求項１〜３の何れかに記載の衣服カバーにおいて、各袖部２は挿入口６の周縁の一部を伸縮自在に絞ってなることを特徴とする。
【０００９】
請求項５は、請求項１〜４の何れかに記載の衣服カバーにおいて、紐体４の両端部には夫々クリップ８を取り付けてなることを特徴とする。
【発明の効果】
【００１０】
上記解決手段による発明の効果を、後述する実施形態の参照符号を付して説明すると、  請求項１に係る発明の衣服カバーＫによれば、胸当て部１とこれの両端部に連設される一対の袖部２，２とによってカバー本体３を形成しているから、和服を着て水仕事をしたり食事をしたりする時などに和服の袖はもとより、着用者の胸元が濡れたり汚れたりするのを防ぐことができる。またこの発明の衣服カバーＫは、胸当て部１を備えているから、大人用の衣服カバーに限らず、そのサイズを適宜に変えることにより、幼児が食事の時に衣服が汚れるのを防ぐカバー、あるいは幼児のヨダレを受けるヨダレ掛けとしても有効に利用することができる。
【００１１】
また、この衣服カバーＫは、胸当て部１とこれの両端部に連設される一対の袖部２，２とからなるカバー本体３に、紐体４を備えたものであるから、製作が容易で安価に提供できる上に、使用の際に紐体４がカバー本体３に対し回転するようなことがなく、傷みにくく、丈夫で長く使用できる。また、両側の袖部２，２と胸当て部１とが一体のものとして形成されているから、着用に際して、袖部２に腕を通す時に胸当て部１の裏側から袖部２の中にスムーズに通し入れることができ、迅速容易に着用できる。
【００１２】
またカバー本体３の袖部２は、伸縮自在に絞られていて、着用者の手首付近に密着するから、衣服の袖部を的確に包み込んで保護することができる。
【００１３】
請求項２に係る発明によれば、紐体４は、胸当て部１裏面の上辺側両端部に設けた紐通し９に通して、この紐体４の両端部を、胸当て部１の裏面側からこの胸当て部１の下辺側両端部に取り付けているから、衣服カバーＫを着用して、例えば手を洗う時などに前屈みになった時に、胸当て部１が下方へ垂れて着用者の着物の胸部側から離れるようなことがなくなり、カバー本体３を着用者の胸部側に引き付けた状態にすることができ、これによって着用者の衣服の胸元が濡れたり汚れたりするのを確実に防ぐことができる。
【００１４】
請求項３に係る発明によれば、カバー本体３の胸当て部１には裏面の上部側中央にダーツ７を設けているから、胸当て部１の上辺側が下辺よりも短くなって胸当て部１の表面側が凸面状に膨らみ、両側の袖部２の曲面形状に沿うことになり、胸当て部１全体を着用者の胸部から腹部に亘る部分に的確に装着させることができる。
【００１５】
請求項４に係る発明によれば、各袖部２は挿入口６の周縁の一部を伸縮自在に絞っているから、袖部２の挿入口６側を着用者の上腕部側に密着させることができ、カバー本体３がずれ落ちるのを防ぐことができる。
【００１６】
請求項５に係る発明によれば、クリップ８を介して紐体４の両端部を胸当て部１の下辺側両端部に取り付けることによって、紐体４が胸当て部１に対して着脱自在となるから、紐体４が破損したような場合の紐体４の取り替えが容易となり、また胸当て部１の洗濯がし易くなる。
【発明を実施するための最良の形態】
【００１７】
図１は本発明の一実施形態である大人用の衣服カバーＫを裏側から見た斜視図、図２は同衣服カバーＫを表側から見た斜視図である。また図３は同衣服カバーＫの着用状態を示す斜視図、図４は同衣服カバーＫの着用状態を詳しく説明する斜視図である。この衣服カバーＫは、胸当て部１とこれの両端部に一体に連設された一対の袖部２，２とからなるカバー本体３、及び両端部をカバー本体３の胸当て部１に取り付けて、着用者の首に掛けることにより胸当て部１を吊持する伸縮性の紐体４から構成されるもので、各袖部２は袖口５が伸縮自在に絞られている。
【００１８】
カバー本体３は、所要の布地からなるもので、この製作にあたっては、図１及び図２から分かるように、布地を所要の横長矩形状に裁断して主体Ａを形成し、この横長矩形状主体Ａの左右各端部ａの例えば上辺に、同じ布地からなる二等辺三角形状の襠片Ｂの一方の斜辺部ｂ１を縫着し、この襠片Ｂの他方の斜辺部ｂ２と主体Ａの左右各端部ａの下辺とを互いに縫い合わせることにより、カバー本体３の左右各端部に、夫々手前側が十分太くて先端側が細くなった筒状の袖部２を形成する。尚、このカバー本体３を製作する布地には防水加工されたものを使用してもよいし、また防水加工がされていない布地を使用してカバー本体３を製作した後、その製品に防水加工を施すようにしてもよい。
【００１９】
しかして、上記各先細り筒状袖部２の径小端部である袖口５には、図示は省略するが、ゴム紐が内装されて、伸縮自在に絞られた袖口５となっており、また径大端部である腕挿入口６は、その周縁の一部にゴム紐が内装されて部分的に伸縮自在に絞られた構造となっている。このように袖部２が伸縮自在に絞られていることにより、袖口５が着用者の手首付近に密着して、衣服の袖部を的確に包み込んで保護することができる。また各袖部２の挿入口６の周縁部が部分的に伸縮自在に絞られていることにより、袖部２の挿入口６側を着用者の上腕部側に密着させることができ、それによってカバー本体３がずれ落ちるのを防ぐことができる。
【００２０】
また、このカバー本体３の胸当て部１には裏面の上部側中央にダーツ７を設けている。このダーツ７は、図１に示すように、胸当て部１の上部側中央部分を裏側へ引き込んで、逆三角形状片７ｏが裏面側に突出するように縫い込んだものであり、これにより胸当て部１の上辺部の長さが下辺よりも短くなって胸当て部１の表面側が凸面状に膨らみ、両側の袖部２の曲面形状に沿うことになり、胸当て部１全体を着用者の胸部から腹部に亘って的確に装着させることができる。
【００２１】
紐体４は適当な伸縮性を有するように形成された所要長さの紐体で、その両端部には夫々クリップ８が取り付けられている。各クリップ８は、サスペンダー（所謂ズボン吊り）に使用されるような周知構造の止め具である。しかして、この紐体４は、図１に示すように、胸当て部１の裏面の上辺側両端部に設けた紐通し９，９に通して、この紐体の両端部を、クリップ８によって胸当て部１の裏面側からこの胸当て部１の下辺側両端部に取り付け固定する。
【００２２】
上記のような構成よりなる本発明の衣服カバーＫの使用方法を説明すると、図３の(a)
は和服Ｒ（例えば振り袖の和服）を着た女性が衣服カバーＫを着用する前の状態を示し、(b) はその女性が衣服カバーＫを着用した状態を示す。
【００２３】
即ち、この衣服カバーＫの着用にあたっては、図１に示すように、紐体４を胸当て部１の裏面の上辺側両端部にある紐通し９，９に通して、その両端部を胸当て部１の裏面側からこの胸当て部１の下辺側両端部にクリップ８，８で固定しておく。
【００２４】
しかして、和服Ｒを着た着用者は、手で和服Ｒの袖口を掴んだ状態で、カバー本体３の裏側からカバー本体３の袖部２，２に両腕を通し入れて、各袖部２の中に和服Ｒの袖Ｓを押し込むようにして挿入する。この時、着用者の腕は片方ずつ袖部２に通すようにするとよい。カバー本体３の袖部２，２に腕を通して和服Ｒの袖Ｓ，Ｓを挿入し終えた後、胸当て部１の上方へ突出している紐体４のＵ字状部分４ａを図３の(b) に示すように首Ｎに掛ければ、この図３(b) のように衣服カバーＫを着用し終えた状態となる。
【００２５】
このカバー本体３の袖部２は先細り筒状に形成され、その袖口５は伸縮自在に絞られて着用者の手首付近に密着するような構造となっているから、和服Ｒの袖Ｓを的確に包み込んで保護することができる。尚、和服Ｒの袖Ｓが振り袖のような場合には、カバー本体３の袖部２をその上半部側が適当に太くなるように形成すればよい。
【００２６】
また、この衣服カバーＫにおいて、紐体４は、図１に示すように、胸当て部１裏面の上辺側両端部に設けた紐通し９に通して、この紐体４の両端部を、胸当て部１の裏面側からこの胸当て部１の下辺側両端部に取り付けているから、この衣服カバーＫを着用して、例えば図４に示すように洗い物をするような場合に前屈みになった時に、胸当て部１が下方へ垂れて着用者の着物の胸部側から離れるようなことがなくなり、カバー本体３を着用者の胸部側に引き付けた状態にすることができ、それによって着用者の和服Ｒの胸元が濡れたり汚れたりするのを確実に防ぐことができる。
【００２７】
尚、紐体４の長さは、衣服カバーＫを着用して図４に示すように前屈み状態となった時にも胸当て部１の下端側が和服Ｒ等の衣服から離れないような長さとすればよい。
【００２８】
この実施形態では、紐体４の両端部に夫々クリップ８を取り付け、このクリップ８を胸当て部１の下辺側両端部に取り付けて固定するようにしているが、紐体４の両端部を直接胸当て部１の下辺側両端部に固定してもよい。しかし、この実施形態のようにクリップ８を介して紐体４の両端部を胸当て部１の下辺側両端部に取り付けるようにすれば、紐体４を胸当て部１に対し着脱自在となるから、紐体４が破損したような場合の紐体４の取り替えが容易となり、また胸当て部１の洗濯も容易となる。
【００２９】
また、紐体４は中間部に長さ調節具を設けて、長さの調節ができるようにしたものでもよい。
【００３０】
また、カバー本体３は、この実施形態では布地によって形成しているが、例えばナイロンシートのような可撓性の樹脂シート材によって形成してもよい。
【００３１】
以上の実施形態は、本発明を大人用の衣服カバーＫに実施した例について説明したが、大人用の衣服カバーに限らず、そのサイズを適宜に変えることによって、幼児が食べ物を食べる時にこれが衣服につくのを防ぐための衣服カバー、あるいは幼児のヨダレを受けるヨダレ掛けとしても実施することができる。
【図面の簡単な説明】
【００３２】
【図１】本発明に係る衣服カバーＫを裏側から見た斜視図である。
【図２】同衣服カバーＫを表側から見た斜視図である。
【図３】(a) は同衣服カバーＫの着用前の状態を示す斜視図、(b) は着用した状態を示す斜視図である。
【図４】同衣服カバーＫの着用状態を詳細に示す斜視図である。
【符号の説明】
【００３３】
Ｋ          衣服カバー
１          胸当て部
２          袖部
３          カバー本体
４          紐体
５          袖口
６          袖部の挿入口
８          クリップ
９          紐通し
【図１】
2005290642.tif 000003
【図２】
2005290642.tif 000004
【図３】
2005290642.tif 000005
【図４】
2005290642.tif 000006